【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
発光面、反対側の面、および面取りされたコーナー部を有する多角形の形状である導光媒体と、
前記導光媒体の面取りされた各コーナー部に対向し、前記対向する面取りされたコーナー部の中に光を導入するように結合されて構成される、少なくとも１つの光源と、
前記導光媒体の前記発光面の上に設けられた機構のパターンであって、前記発光面の実質的に表面全体にわたって発光密度のばらつきを低減するように構成された前記機構のパターンと、
前記導光媒体の前記発光面に隣接して配置された蛍光体層であって、この層中の蛍光体材料が、前記発光面から発せられる光の少なくとも一部分を吸収し、それを受けて、異なる波長の光を発するように動作可能であり、この層が、生成される光の均一な色および／または相関色温度を確保する前記蛍光体層と、
を含む発光パネル。
【請求項２】
前記機構のパターンが、
前記導光媒体内の光の強度分布；
各光源からの距離とともに少なくとも部分的に減少する間隔；
各光源からの距離の関数としてのサイズ；
各光源からの距離の関数としての形状；
各光源からの距離とともに増大する単位面積あたりの数；
からなる群より選択される事項に依存するように構成される、
請求項１記載のパネル。
【請求項３】
前記機構が、
リッジ；  ｕ字型リッジ；  ｖ字型リッジ；  溝；  ｕ字型溝；  ｖ字型溝；  実質的に半球状の機構；  実質的に錐体の機構；  実質的に四面体の機構；  実質的に偏方多面体の機構；  線；  実質的に円形の機構；  実質的に楕円形の機構；  実質的に正方形の機構；  実質的に長方形の機構；  実質的に三角形の機構；  実質的に六角形の機構；  および実質的に多角形の形状である機構：
からなる群より選択される、
請求項１記載のパネル。
【請求項４】
前記各光源に対向する、少なくとも１つの実質的に半球状のくぼみであって、
前記導光媒体の前記面取りされたコーナー部に設けられる前記くぼみをさらに含み、
前記対向する光源が実質的に前記くぼみの中心に位置づけられる、
請求項１記載のパネル。
【請求項５】
前記機構が、
前記導光媒体の一体部品として形成すること；
前記導光媒体の面を処理すること；および
前記導光媒体の前記面に前記機構を施工すること：
からなる群より選択される方法によって形成される、
請求項４記載のパネル。
【請求項６】
前記方法が、
前記導光媒体を精密成形して機構のパターンを定義すること、
前記面を選択的に機械的摩削して前記機構を定義すること；
前記面を選択的に研削して前記機構を定義すること；
前記面を選択的にけがきして前記機構を定義すること；
前記面を選択的にエッチングして前記機構を定義すること；
前記面に研磨粒子を選択的に吹き付けること、および
前記面を選択的にレーザ切断して前記機構を定義すること：
からなる群より選択される、
請求項５記載のパネル。
【請求項７】
前記蛍光体材料が、
前記導光媒体の前記発光面上に少なくとも１つの層として設けられること；
実質的に透明な基板の面上に少なくとも１つの層として設けられ、前記基板が前記導光媒体の前記発光面に対向する蛍光体の前記層を持つ前記導光媒体の上に位置づけられること；および
その体積にわたって蛍光体の実質的に均一な分布を持つ透明材料の板に組み入れられ、蛍光体の板が、前記導光媒体の前記発光面の上に位置づけられること：
からなる群より選択される、
請求項１記載のパネル。
【請求項８】
前記導光媒体が、
実質的に正方形、実質的に長方形、実質的に三角形、および実質的に六角形の形状：
からなる群より選択される、
請求項１記載のパネル。
【請求項９】
前記導光媒体が、
ポリマー、ポリカーボネート、アクリル、およびガラス：からなる群より選択される、
請求項１記載のパネル。
【請求項１０】
前記導光媒体の前記反対側の面の実質的に全体にわたる反射表面をさらに含む、
請求項１記載のパネル。
【請求項１１】
前記導光媒体の前記面取りされたコーナー部の間の前記導光媒体のエッジの中に光を導入するように結合されて構成される少なくとも１つの前記光源をさらに含む、
請求項１記載のパネル。
【請求項１２】
前記導光媒体の各面上にそれぞれの機構のパターンを含み、
動作中に、光が前記導光媒体の両方の面から発せられる、
請求項１記載のパネル。
【請求項１３】
前記導光媒体が、面取りされたコーナー部を有する多角形の形状であって、前記面取りされた各コーナー部が、前記光源に対向し、前記光源が、前記面取りされたコーナー部の中に光を導入するように結合されて構成される、
請求項１記載のパネル。
【請求項１４】
前記導光媒体が、４つの面取りされたコーナー部を有する長方形または正方形の形状であって、前記面取りされた各コーナー部が、前記光源に対向し、前記光源が、前記面取りされたコーナー部の中に光を導入するように結合されて構成される、
請求項１記載のパネル。
【請求項１５】
前記機構のパターンが、同心パターンの中にあるように構成され、前記発光面にわたって発光強度のばらつきを低減するために、前記機構のパターンは、
前記同心パターンの中の前記機構の間の間隔が、前記導光媒体の前記発光面の中心に向かって減少すること、
前記同心パターンの中の前記機構の密度が、前記導光媒体の前記発光面の中心に向かって増大すること、
前記同心パターンの中の前記機構のサイズが、前記導光媒体の前記発光面の中心に向かって増大すること、
前記同心パターンの中の単位面積あたりの前記機構の数が、前記導光媒体の前記発光面の中心に向かって増大すること、
の少なくとも１つを可能とするように構成される、
請求項１記載のパネル。
【請求項１６】
前記蛍光体材料が、前記機構のパターンを覆う、
請求項１記載のパネル。
【請求項１７】
前記発光パネルにより生成される光が、前記蛍光体層の厚さ、前記蛍光体材料の密度、および／または前記蛍光体材料の構成によって選択されることができる、
請求項１記載のパネル。
【請求項１８】
前記機構のパターンが、前記導光媒体の前記発光面に異なる材料を施工することによって作られ、前記異なる材料が、前記導光媒体の屈折率と実質的に同じ屈折率を有する、
請求項１記載のパネル。
【請求項１９】
前記蛍光体が、透明な基板の面上に層として設けられ、前記基板が、前記導光媒体の前記発光面に対向する前記蛍光体層とともに位置づけられる、
請求項１記載のパネル。
【請求項２０】
発光面および反対側の面を有する導光媒体と、
前記導光媒体のエッジのまわりの複数の位置で、前記エッジの中に光を導入するように結合されて構成される複数の光源と、
前記導光媒体の前記発光面の上に設けられた機構のパターンであって、前記発光面の実質的に表面全体にわたって発光密度のばらつきを低減するように構成された前記機構のパターンと、
前記導光媒体の前記発光面に隣接して配置された蛍光体層であって、この層中の蛍光体材料が、前記発光面から発せられる光の少なくとも一部分を吸収し、それを受けて、異なる波長の光を発するように動作可能であり、この層が、生成される光の均一な色および／または相関色温度を確保する前記蛍光体層と、
を含む発光パネル。
【請求項２１】
発光面および反対側の面を有する導光媒体と、
前記導光媒体のエッジのまわりの複数の位置で、前記エッジの中に光を導入するように結合されて構成される複数の光源と、
前記導光媒体の前記発光面の上に設けられた機構のパターンであって、前記発光面の実質的に表面全体にわたって発光密度のばらつきを低減するように構成された前記機構のパターンと、を含み、
前記機構のパターンは、前記発光面から発せられる光の少なくとも一部分を吸収し、それを受けて、異なる波長の光を発するように動作可能な蛍光体材料を含み、生成される光の均一な色および／または相関色温度を確保する、
発光パネル。
【請求項２２】
前記機構のパターンが、
前記導光媒体内の光の強度分布；
各光源からの距離とともに少なくとも部分的に減少する間隔；
各光源からの距離の関数としてのサイズ；
各光源からの距離の関数としての形状；
各光源からの距離とともに増大する単位面積あたりの数；
からなる群より選択される事項に依存するように構成される、
請求項２１記載のパネル。
【請求項２３】
前記機構が、
線；  実質的に円形の機構；  実質的に楕円形の機構；  実質的に正方形の機構；  実質的に長方形の機構；  実質的に三角形の機構；  実質的に六角形の機構；  および実質的に多角形の形状である機構：
からなる群より選択される、
請求項２１記載のパネル。
【請求項２４】
前記機構のパターンが、前記導光媒体の前記発光面に異なる材料を施工することによって作られ、前記異なる材料が、前記導光媒体の屈折率と実質的に同じ屈折率を有する、
請求項２１記載のパネル。
【請求項２５】
前記導光媒体が、
実質的に正方形、実質的に長方形、実質的に三角形、実質的に六角形、および実質的に多角形の形状、
からなる群より選択される、
請求項２１記載のパネル。
【請求項２６】
前記導光媒体の各面上にそれぞれ機構のパターンを含み、
動作中に、光が前記導光媒体の両方の面から発せられる、
請求項２１記載のパネル。
【請求項２７】
蛍光体材料を有する前記機構のパターンが、前記導光媒体の前記発光面の上に蛍光体材料をスクリーン印刷することにより設けられた、
請求項２１記載のパネル。
【手続補正２】
【補正対象書類名】明細書
【補正対象項目名】００３８
【補正方法】変更
【補正の内容】
【００３８】
本発明の１つの実施形態において、照明パネルは、透明材料の正方形または長方形の板２２１、以下導光部と称するものを含む。青色（４００ｎｍから４８０ｎｍ）発光ＬＥＤ２２２が、平坦な導光部２２１の各コーナー部に搭載される。導光部２２１は、ＬＥＤ２２２によって発せられる光に対して透明な任意の材料から構築することができ、典型的にはプラスチック材料、たとえばポリカーボネート、アクリル、またはガラス、の板を含む。青色ＬＥＤ２２２は、典型的には、共にパッケージングしたＩｎＧａＮ／ＧａＮ（窒化インジウムガリウム／窒化ガリウム）系ＬＥＤチップの配列を含み、導光部のエッジに沿うように構成することができるヒートシンク２２４と熱的に連通して搭載される。加えて、図２（ａ）に示すように、ヒートシンクは、パネルの非発光（後部）表面にわたって延びることができ、好ましくは熱の放散に役立つ複数の放熱フィン２２４ａを含む。導光部２２１は、周縁エッジのまわりのヒートシンク２２４を含む照明パネル２２０ａ全体のサイズが標準的な吊り天井のタイル孔の中にはめ込まれるように、画定される。
【手続補正３】
【補正対象書類名】明細書
【補正対象項目名】００４１
【補正方法】変更
【補正の内容】
【００４１】
ＬＥＤ２２２によって発せられた光２２８の導光部２２１の中への導入を可能にするために、導光部の各コーナー部が面取りされ２３３、光は、一般的に半球状（皿状）のくぼみ２３２という手段によって面取りされたコーナー部の面の中に導入される。本明細書にわたって、定められた実施形態に対応する図番が先行する同様の参照番号は、同様の部品を示すために用いられる。例えば、図２の導光部２２１は、それぞれ図３から１１において３２１、４２１、５２１、６２１、７２１、８２１、９２１、１０２１、１１２１で示され、図２の機構２２５は、それぞれ図４から１１において４２５、５２５、６２５、７２５、８２５、９２５、１０２５、１１２５で示される。